(57)【要約】【課題】  セキュリティ機能を無効にした状態で実行されたジョブのログが、新しいジョブ実行時のログ記録で消去されて記録が残らないことを防ぐ。【解決手段】  ジョブに関するジョブ情報を記憶するジョブ情報記憶手段と、画像入出力装置を使用する際にジョブ情報を該ジョブ情報記憶手段に保存するジョブ情報保存手段と、セキュリティ機能の有効無効を切り替えるセキュリティ機能切り替え手段と、セキュリティ機能が有効なジョブ情報と無効なジョブ情報で表示方法を切り替えるジョブ情報表示手段を具備し、該セキュリティ機能が有効か無効かで、ジョブ情報の制御方法を変更する。【選択図】  図１
2009073036.tif 000002
【特許請求の範囲】
【請求項１】
画像処理システムにおいて、
ジョブに関するジョブ情報を記憶するジョブ情報記憶手段と、
画像入出力装置を使用する際にジョブ情報を該ジョブ情報記憶手段に保存するジョブ情報保存手段と、
セキュリティ機能の有効無効を切り替えるセキュリティ機能切り替え手段と、
セキュリティ機能が有効なジョブ情報と無効なジョブ情報で表示方法を切り替えるジョブ情報表示手段を具備し、
該セキュリティ機能が有効か無効かで、ジョブ情報の制御方法を変更することを特徴とする画像処理システム。
【請求項２】
前記画像処理システムにおいて、
セキュリティ機能が無効なジョブを記憶する、セキュリティ機能無効ジョブ専用ジョブ情報記憶手段を具備し、
セキュリティ機能が無効なジョブが投入された場合に、ジョブ情報を該セキュリティ機能無効ジョブ専用ジョブ情報記憶手段に記憶することを特徴とする請求項１に記載の画像処理システム。
【請求項３】
前記画像処理システムにおいて、
ネットワーク経由で情報を送信可能なネットワーク送信手段を具備し、
セキュリティ機能が無効なジョブが投入された場合に、ジョブ情報をネットワーク送信手段にて送信することを特徴とする請求項１に記載の画像処理システム。
【請求項４】
前記画像処理システムにおいて、
画像データを記憶する画像データ記憶手段と、
ジョブ情報を画像データにラスタライズする画像データ変換手段を具備し、
セキュリティ機能が無効なジョブが投入された場合に、ジョブ情報を該画像データ変換手段で変換し、
該変換後のジョブ情報画像を該画像データ記憶手段に記憶することを特徴とする請求項１に記載の画像処理システム。
【請求項５】
前記画像処理システムにおいて、
ネットワーク経由で情報を送信可能なネットワーク送信手段を具備し、
該ジョブ情報記憶手段の記憶領域の残容量が閾値以下になった場合、
ジョブ情報をネットワーク送信手段にて送信し、
該ジョブ情報記憶手段の記憶領域から退避することを特徴とする請求項１に記載の画像処理システム。
【請求項６】
前記画像処理システムにおいて、
ネットワーク経由で情報を送信可能なネットワーク送信手段を具備し、
該ジョブ情報記憶手段の記憶領域の残容量が閾値以下になった場合、
該ジョブ情報記憶手段内のジョブ情報をネットワーク送信手段にて送信し、
該ジョブ情報記憶手段の記憶領域から退避することを特徴とする請求項１に記載の画像処理システム。
【請求項７】
前記画像処理システムにおいて、
画像データを記憶する画像データ記憶手段と、
ジョブ情報を画像データにラスタライズする画像データ変換手段を具備し、
該ジョブ情報記憶手段の記憶領域の残容量が閾値以下になった場合、
該ジョブ情報記憶手段内のジョブ情報を該画像データ変換手段で変換し、
該変換後のジョブ情報画像を該画像データ記憶手段に記憶し、
該ジョブ情報記憶手段の記憶領域から退避することを特徴とする請求項１に記載の画像処理システム。
【請求項８】
前記画像処理システムにおいて、
該ジョブ情報記憶手段の記憶領域の残容量が閾値以下になった状態でセキュリティ機能の無効なジョブが投入された場合に、
該セキュリティ機能の無効なジョブをキャンセルすることを特徴とする請求項１に記載の画像処理システム。
【請求項９】
前記画像処理システムにおいて、
該ジョブ情報記憶手段の記憶領域の残容量が閾値以下になった場合、
任意のネットワークアドレスに該残容量不足状態を通知することを特徴とする請求項１に記載の画像処理システム。
【請求項１０】
前記画像処理システムにおいて、
該ジョブ情報記憶手段の記憶領域の残容量が閾値以下になった状態で、
ジョブが投入された場合に、セキュリティ機能の有効なジョブのジョブ情報を優先して、
該ジョブ情報記憶手段の記憶領域から取り出すことを特徴とする請求項１に記載の画像処理システム。
【請求項１１】
前記画像処理システムにおいて、
該セキュリティ機能無効ジョブ専用ジョブ情報記憶手段の記憶領域の残容量が閾値以下になった状態で、
セキュリティ機能が無効なジョブが投入された場合に、
ジョブ情報を該セキュリティ機能無効ジョブ専用ジョブ情報記憶手段以外の記憶手段に記憶することを特徴とする請求項２に記載の画像処理システム。
【請求項１２】
前記画像処理システムにおいて、
認証手段にて認証されたユーザに限り、
セキュリティ機能が無効なジョブのジョブ情報を削除可能とすることを特徴とする請求項１に記載の画像処理システム。
【請求項１３】
前記画像処理システムにおいて、
ジョブ情報を画像データにラスタライズする画像データ変換手段を具備し、
セキュリティ機能が無効なジョブのジョブ情報を削除する際、
該ジョブ情報記憶手段内のジョブ情報を該画像データ変換手段で変換し印刷することを特徴とする請求項１に記載の画像処理システム。
【請求項１４】
請求項１〜請求項１３のいずれかに記載の画像処理システムの制御をコンピュータにより実行可能とすることを特徴とするプログラム。
【請求項１５】
請求項１４に記載のプログラムを格納するコンピュータ可読の記憶媒体。
【発明の詳細な説明】
【技術分野】
【０００１】
本発明は、画像処理システムを使用したユーザとその際の処理内容、さらに使用した日時等を関連付けてログとして保存することで、画像処理システムの使用状況を把握する機能を有する、デジタル式複写機、あるいはプリンタ等を含んだ形で構築されるシステムに関する。
【背景技術】
【０００２】
近年DRAMやHDD等の記憶媒体の低価格化に伴い、大量の画像データを安価に画像処理装置内に蓄積できるようになってきている。これにより従来、用紙への印字出力や原稿から読み取った画像データの出力のみの機能であった装置に、蓄積（ファイリング）機能も加えることが出来るようになった。またインターネット等のインフラの整備が進み、画像処理装置に入力した画像をネットワーク上の他の装置へ送信する、あるいは画像をネットワーク上で複数のユーザで共有することが可能となった。このような利便性が向上する反面、新たにセキュリティ上の問題が出てきている。すなわち記憶装置上の画像データを第三者に改竄される、あるいは消去される、さらには不正に出力されるなどの機会が増大している。
【０００３】
セキュリティへの関心が高まり、画像入出力機器において入出力が行われた画像と、その操作者、操作日時など情報をログとして記憶装置に蓄積し、後日機器の管理者が操作者、画像等を確認するシステムが提供されている。
【０００４】
このようなシステムにおいて、画像を検索するためには予めログとして保存する画像データに自動文字認識（OCR）処理を施し、OCR処理結果をログに関連付けて保存することで、検索を容易に行うことが出来るシステムが知られている。
【０００５】
ここで、メモリ内におけるプリントデータ等の占有率が所定量を越えた場合に、最も使用履歴の古いデータを圧縮して、メモリの未使用エリアに保存させる技術が知られている。更に、メモリがオーバフローした場合には、最も使用履歴の古いデータの属性情報以外の部分を消去する技術が知られている。（特許文献１参照）
【特許文献１】特開平５−２１２９１７号公報（第３―５頁、図３）
【発明の開示】
【発明が解決しようとする課題】
【０００６】
現在、セキュリティへの関心が高まり、画像入出力機器において入出力が行われた画像を操作者、日時などのログとともに記憶装置に蓄積し、後日機器の管理者が操作者、画像等を確認するシステムが発明されている。そして、不揮発性メモリ内の画像を確実に消去する、あるいは追跡可能な情報を記録紙に付加して印字する機能を提供することが重要な課題となっている。
【０００７】
このような機器において、機能の有効/無効の切り替えはシステム管理者のみによって行われることが通常である。しかし、何らかの手違いで他のユーザに情報が漏洩し、セキュリティ機能が解除されることがある。また、管理者が意図的に解除したなどの操作をした状態でジョブが投入された場合に、セキュリティ機能が無効の状態で出力されたことを確認することが出来なかった。
【課題を解決するための手段】
【０００８】
上記目的を達成するために、本発明の画像処理システムは、
ジョブに関するジョブ情報を記憶するジョブ情報記憶手段と、
画像入出力装置を使用する際にジョブ情報を該ジョブ情報記憶手段に保存するジョブ情報保存手段と、
セキュリティ機能の有効無効を切り替えるセキュリティ機能切り替え手段と、
セキュリティ機能が有効なジョブ情報と無効なジョブ情報で表示方法を切り替えるジョブ情報表示手段を具備し、
該セキュリティ機能が有効か無効かで、ジョブ情報の制御方法を変更することを特徴とする。
【０００９】
また、上記目的を達成するために、本発明の画像処理システムは、
セキュリティ機能が無効なジョブを記憶する、セキュリティ機能無効ジョブ専用ジョブ情報記憶手段を具備し、
セキュリティ機能が無効なジョブが投入された場合に、ジョブ情報を該セキュリティ機能無効ジョブ専用ジョブ情報記憶手段に記憶することを特徴とする。
【００１０】
また、上記目的を達成するために、本発明の画像処理システムは、
ネットワーク経由で情報を送信可能なネットワーク送信手段を具備し、
セキュリティ機能が無効なジョブが投入された場合に、ジョブ情報をネットワーク送信手段にて送信することを特徴とする。
【００１１】
また、上記目的を達成するために、本発明の画像処理システムは、
画像データを記憶する画像データ記憶手段と、
ジョブ情報を画像データにラスタライズする画像データ変換手段を具備し、
セキュリティ機能が無効なジョブが投入された場合に、ジョブ情報を該画像データ変換手段で変換し、
該変換後のジョブ情報画像を該画像データ記憶手段に記憶することを特徴とする。
【００１２】
また、上記目的を達成するために、本発明の画像処理システムは、
ネットワーク経由で情報を送信可能なネットワーク送信手段を具備し、
該ジョブ情報記憶手段の記憶領域の残容量が閾値以下になった場合、
ジョブ情報をネットワーク送信手段にて送信し、
該ジョブ情報記憶手段の記憶領域から退避することを特徴とする。
【００１３】
また、上記目的を達成するために、本発明の画像処理システムは、
ネットワーク経由で情報を送信可能なネットワーク送信手段を具備し、
該ジョブ情報記憶手段の記憶領域の残容量が閾値以下になった場合、
該ジョブ情報記憶手段内のジョブ情報をネットワーク送信手段にて送信し、
該ジョブ情報記憶手段の記憶領域から退避することを特徴とする。
【００１４】
また、上記目的を達成するために、本発明の画像処理システムは、
画像データを記憶する画像データ記憶手段と、
ジョブ情報を画像データにラスタライズする画像データ変換手段を具備し、
該ジョブ情報記憶手段の記憶領域の残容量が閾値以下になった場合、
該ジョブ情報記憶手段内のジョブ情報を該画像データ変換手段で変換し、
該変換後のジョブ情報画像を該画像データ記憶手段に記憶し、
該ジョブ情報記憶手段の記憶領域から退避することを特徴とする。
【００１５】
また、上記目的を達成するために、本発明の画像処理システムは、
該ジョブ情報記憶手段の記憶領域の残容量が閾値以下になった状態で、
セキュリティ機能の無効なジョブが投入された場合に、
該セキュリティ機能の無効なジョブをキャンセルすることを特徴とする。
【００１６】
また、上記目的を達成するために、本発明の画像処理システムは、
該ジョブ情報記憶手段の記憶領域の残容量が閾値以下になった場合、
任意のネットワークアドレスに該残容量不足状態を通知することを特徴とする。
【００１７】
また、上記目的を達成するために、本発明の画像処理システムは、
該ジョブ情報記憶手段の記憶領域の残容量が閾値以下になった状態で、
ジョブが投入された場合に、セキュリティ機能の有効なジョブのジョブ情報を優先して、
該ジョブ情報記憶手段の記憶領域から取り出すことを特徴とする。
【００１８】
また、上記目的を達成するために、本発明の画像処理システムは、
該セキュリティ機能無効ジョブ専用ジョブ情報記憶手段の記憶領域の残容量が閾値以下になった状態で、
セキュリティ機能が無効なジョブが投入された場合に、
ジョブ情報を該セキュリティ機能無効ジョブ専用ジョブ情報記憶手段以外の記憶手段に記憶することを特徴とする。
【００１９】
また、上記目的を達成するために、本発明の画像処理システムは、
認証手段にて認証されたユーザのみ、
セキュリティ機能が無効なジョブのジョブ情報を削除可能とすることを特徴とする。
【００２０】
また、上記目的を達成するために、本発明の画像処理システムは、
ジョブ情報を画像データにラスタライズする画像データ変換手段を具備し、
セキュリティ機能が無効なジョブのジョブ情報を削除する際、
該ジョブ情報記憶手段内のジョブ情報を該画像データ変換手段で変換し印刷することを特徴とする。
【発明の効果】
【００２１】
本発明により、セキュリティ機能の有効/無効の切り替えを何らかの手違いで他のユーザに情報が漏洩し、セキュリティ機能が解除されること。
【００２２】
あるいは管理者が意図的に解除したなどの操作をした状態でジョブが投入された場合に、セキュリティ機能が無効の状態で出力されたことを確認することが可能となる。
【発明を実施するための最良の形態】
【００２３】
次に、本発明の詳細を実施例の記述に従って説明する。
【実施例１】
【００２４】
以下、本発明の実施の形態を図面に基づいて詳説する。
【００２５】
図１は本発明に係る電子部品としてのコントローラ部が搭載された画像入出力装置（データ処理装置）の一実施の形態を示すブロック構成図である。
【００２６】
そして、該画像入出力装置１は、イーサネット（登録商標）等のLAN（Local  Area Network）400にてのホストコンピュータ（本実施の形態では第一、第二のホストコンピュータ3,4）に接続されている。
【００２７】
即ち、上記画像入出力システム（装置）1は、画像データの読取処理を行うリーダ部2と、画像データの出力処理を行うプリンタ部6と、画像データの入出力操作を行うキーボード、及び画像データや各種機能の表示などを行う液晶パネルを備えた操作部7と、制御プログラムや画像データ等が予め書き込まれたハードディスクドライブ8を装着している。
【００２８】
そして、これら各構成要素に接続されて該構成要素に接続されて該構成要素を制御する単一の電子部品からなるコントローラ部110とから構成されている。
【００２９】
さらにリーダ部2は原稿用紙を搬送する原稿給紙ユニット（部）10と、原稿画像を光学的に読み取って電気信号としての画像データに変換するスキャナ部11とを有している。
【００３０】
プリンタ部6は記録用紙を収容する複数段の給紙カセットを備えた給紙ユニット（部）12と画像データを記録用紙に転写、定着するマーキングユニット(部)13と印字された記録用紙にソート処理やステイプル処理を施して、外部に排出する排紙ユニット（部）14とを有している。
【００３１】
図２はリーダ部2及びプリンタ部6の詳細を示す内部構造であって、リーダ部5はプリンタ部6に載置されている。
【００３２】
リーダ部2では、原稿給送ユニット10に積層された原稿用紙がその積層順にしたがって、先頭から順次1枚ずつプラテンガラス15上に給送される。
【００３３】
そして、スキャナユニット11で所定の読取動作が終了した後、該読み取られた原稿用紙はプラテンガラス15上から原稿給送ユニット10に排出される。
【００３４】
また、上記スキャナユニット11では、原稿用紙がプラテンガラス15上に搬送されてくるとランプ16が点灯し、次いで光学ユニット17の移動を開始させ、原稿用紙を下方から照射し、走査する。そして、原稿用紙からの反射光は、複数のミラー18−20、及びレンズ21を介してCCDイメージセンサー（以下、単に「CCD」と記す）22へと導かれ、走査された原稿画像はCCD22によって読み取られる。そして、CCD22で読み取られた画像データは、所定の処理が施された後、コントローラユニット110（図２では図示省略）に転送される。
【００３５】
あるいは、原稿プラテン上に載置された原稿を同様にランプ16を点灯し、次いで光学ユニット17の移動を開始させ、原稿用紙を下方から照射し、走査することで、走査された原稿画像をCCD22によって読み取ることが可能である。
【００３６】
以上の手順で送出されたリーダからの画像データは、コネクタ56を介してコントローラ部110に送出される。
【００３７】
次いで、プリント部6では、コントローラ部110から出力された画像データに対応するレーザ光が、レーザドライバ23により駆動されるレーザ発行部24から発行される。
【００３８】
そして、該レーザ光はマーキング部13の感光ドラム25にはレーザ光に応じた静電潜像が形成され、現像器２６により前記静電潜像の部分に現像罪が付着する。
【００３９】
一方、レーザ光の照射開始と同期したタイミングで、給紙部12（給紙カセット12a,12b）から記録用紙が給紙されて転写部27に搬送され、感光ドラム25に付着している現像剤を記録用紙に転写する。画像データが転写された記録用紙は定着部28に搬送され、定着部28における加熱・加圧処理により画像データが記録紙に定着される。
【００４０】
そして、画像データを記録用紙に片面記録する場合は、定着部28を通過した記録用紙が排出ローラ29によってそのまま排紙ユニット14に排出される。
【００４１】
そして、排紙ユニット14は排出された記録用紙を束ねて記録用紙の仕分けを行い、また、仕分けされた記録用紙のステイプル処理を行う。
【００４２】
また、画像データを記録用紙に両面記録する場合は、排出ローラ29まで記録用紙を搬送した後、該は移出ローラ29の回転方向を逆転させる。
【００４３】
そして、フラッパ30によって再給紙搬送路３１へと導かれ、該再給紙搬送路31に導かれた記録用紙は上述と同様にして転写部27に搬送される。
【００４４】
コントローラ部110は、上述したように単一の電子部品で構成され、リーダ部2読み取った画像データをコードに変換し、ＬＡＮ400を介して第一及び第二のホストコンピュータ３、４に送信するスキャナ機能を有している。
【００４５】
更にコントローラ部110は、ホストコンピュータ３、４からＬＡＮ２を介して受信したコードデータを画像データに変換し、プリンタ部6に出力するプリンタ機能、その他の機能ブロックを有している。
【００４６】
図３はコントローラ部110の詳細を示すブロック図である。
【００４７】
すなわち、メインコントローラ32は、ＣＰＵ33とバスコントローラ34と後述する各種コントローラ回路を含む機能ブロックとを内蔵すると共に、ＲＯＭＩ／Ｆ35を介してＲＯＭ36と接続される。
【００４８】
更にメインコントローラ32は、ＤＲＡＭＩ／Ｆ37を介してＤＲＡＭ38と接続され、コーデックＩ／Ｆ39を介してコーデック40と接続され、また、ネットワークＩ／Ｆ41を介してネットワークコントローラ42と接続されている。
【００４９】
ＲＯＭ36は、メインコントローラ32のＣＰＵ33で実行される各種制御プログラムや演算データが確認されている。ＤＲＡＭ38は、ＣＰＵ33が動作するための作業領域や画像データを蓄積するための領域として使用される。コーデック40はＤＲＡＭ38に蓄積されたラスターイメージデータをＭＨ／ＭＲ／ＭＭＲ／ＪＢＩＧなどの周知の圧縮方式で圧縮し、また圧縮されたデータをラスターイメージに伸長する。また、コーデック40にはＳＲＡＭ43が接続されており、該ＳＲＡＭ43は前記コーデック40の一時的な作業領域として使用される。
【００５０】
ネットワークコントローラ42は、ネットワーク44を介してＬＡＮ2との間で所定の制御動作を行う。
【００５１】
また、前記メインコントローラ32はスキャナバス45を介してスキャナＩ／Ｆ46に接続され、プリンタバス47を介してプリンタＩ／Ｆ48に接続される。
【００５２】
さらにメインコントローラ32は、ＰＣＩバス等の汎用高速バス49を介して拡張ボードを接続するための拡張コネクタ50及び入出力制御部（Ｉ／Ｏ制御部）51に接続されている。
【００５３】
Ｉ／Ｏ制御部51はリーダ部2やプリンタ部6との間で制御コマンドを送受信するための調歩同期式のシリアル通信コントローラ52が2チャンネル装備されている。該シリアル通信コントローラ52はＩ／Ｏバス53を介してスキャナＩ／Ｆ46及びプリンタＩ／Ｆ48に接続されている。
【００５４】
スキャナＩ／Ｆ48は、第一の調歩同期シリアルＩ／Ｆ54及び第一のビデオＩ／Ｆ55を介してスキャナコネクタ56に接続され、さらに該スキャナコネクタ56はリーダ部2のスキャナユニット11に接続されている。
【００５５】
そして、スキャナＩ／Ｆ46はスキャナ部11から受信した画像データに対し所望の2値化処理や、主走査方向及び／又は副走査方向の変倍処理を行う。
【００５６】
またスキャナＩ／Ｆ46は、スキャナ部11から送られてきたビデオ信号に基づいて制御信号を生成し、スキャナバス45を介してメインコントローラ32に転送する。
【００５７】
また、プリンタＩ／Ｆ48は、第２の調歩同期シリアルＩ／Ｆ57及び第2のビデオＩ／Ｆ58を介してプリンタコネクタ59に接続され、さらに該プリンタコネクタ59はプリンタ部６のマーキングユニット13に接続されている。
【００５８】
そして、プリンタI/F48はメインコントローラ３２から出力された画像データにスムージング処理を施して該画像データをマーキングユニット13に出力する。
【００５９】
さらにプリンタI/F48は、マーキングユニット13から送られたビデオ信号に基づいて、生成された制御信号をプリンタバス47に出力する。
【００６０】
そして、ＣＰＵ33は、ＲＯＭ36からＲＯＭＩ／Ｆ35を介して読み込まれた制御プログラムに基づいて動作する。
【００６１】
例えば、第1及び第2のホストコンピュータ3、4から受信したＰＤＬ（ページ記述言語）データを解釈し、ラスターイメージデータに展開処理を行う。
【００６２】
また、バスコントローラ34は、スキャナＩ／Ｆ46プリンタＩ／Ｆ48、その他拡張コネクタ50等に接続された外部機器から入出力されるデータ転送を制御するものであり、バス競合時のアービトレーション（調停）やＤＭＡデータ転送の制御を行う。即ち、例えば、上述したＤＲＡＭ38とコーデック40との間のデータ転送や、スキャナ部５からＤＲＡＭ38へのデータ転送、ＤＲＡＭ38からマーキングユニット13へのデータ転送等は、バスコントローラ34によって制御され、ＤＭＡ転送される。
【００６３】
また、Ｉ／Ｏ制御部51は、ＬＣＤコントローラ60及びキー入力Ｉ／Ｆ761を介してパネルＩ／Ｆ62は操作部７に接続されている。
【００６４】
また、前記Ｉ／Ｏ制御部51は不揮発性メモリとしてのＥＥＰＲＯＭ66に接続され、またＥ−ＩＤＥコネクタ63を介してハードディスクドライブ8に接続される。
【００６５】
さらに、機器内で管理する日付と時刻を更新／保存するリアルタイムクロックモジュール64に接続されている。
【００６６】
尚、リアルタイムクロックモジュール64はバックアップ用電池65に接続されて該バックアップ用電池65によりバックアップされている。
【００６７】
図４はメインコントローラ32の内部詳細を示すブロック構成図である。
【００６８】
バスコントローラ34は、4×４の64ビットクロスバススイッチで構成され、64ビットのプロセッサバス（Pバス）67を介してCPU33に接続される。
【００６９】
またメモリ専用のローカルバス（Mバス）68を介してキャッシュメモリ69aを備えたメモリコントローラ69に接続されている。尚、メモリコントローラ69はROM36やDRAM38などのメモリ類と接続され、これらのメモリ類の動作を制御する。
【００７０】
さらに、該バスコントローラ34はグラフィックスバス（Gバス）70を介してGバスアービタ71及びスキャン・プリンタコントローラ72と接続される。
【００７１】
また入出力バス（Bバス）７３を介して、Bバスアービター74、Gバスアービタ71、インタラプトコントローラ、及び各種機能ブロック（電力管理ユニット76、UARTなどのシリアルI/Fコントローラ77、USB(Universal Serial Bus)コントローラ78、IEEE1284等のパラレルI/Fコントローラ79、LANコントローラ80汎用入出力コントローラ81、Bバス73と外部バスであるPCIバスとの間でI/F動作を司るPCIバスI/F82、及びスキャナ・プリンタコントローラ７２）と接続されている。
【００７２】
Bバスアービタ74はBバス73を協調制御するアービトレーションであり、Bバス73のバス使用要求を受け付け、調停の後、使用許可が選択された一つのマスタに与えられ、これにより同時に2つ以上のマスタがバスアクセスを行うのを禁止している。尚、アービトレーション方式は3段階の優先権を有し、それぞれの優先権に複数のマスタが割り当てられる。
【００７３】
インタラプトコントローラ75は、上述した各機能ブロック及びコントローラユニット110の外部からインタラプトを集積し、CPU33がサポートするコントローラ類72、77−82及びノンマスカブルインタラプト（ＮＭＩ）に再配分する。
【００７４】
電力管理ユニット76は機能ブロック毎に電力を管理し、さらに1チップで構成されている電子部品としてコントローラユニット110の消費電力量の監視を行う。すなわち、コントローラユニット110は、CPU33を内蔵した大規模なASIC（特定用途向けIC）で構成されており、このため全ての機能ブロックが同時に動作すると大量の熱を発生して、コントローラ部110自体が破壊されてしまう虞がある。
【００７５】
そこで、このような事態を防止するために各に機能ブロック毎に消費電力を管理し、各機能ブロックの消費電力量はパワーマネージメントレベルとして電力管理ユニット76に集積される。そして、該電力管理ユニット76では各機能ブロックの消費電力量を合計し、該消費電力量が限界消費電力を超えないように各機能ブロックの消費電力量を一括して、監視する。
【００７６】
Gバスアービタ71は中央アービトレーション方式によりGバス70を協調制御しており、各バスマスタに対して専用の要求信号と許可信号とを有する。
【００７７】
尚、バスマスタへの優先権の付与方式として、全てのバスマスタを同じ優先権として、公平にバス権を付与する公平アービトレーションモードといずれか一つのバスマスタに対して優先的にバスを使用させる優先アービトレーションモードのいずれかを指定することができる。
【００７８】
上述のような画像入出力装置を例にあげ、本特許の具体的な実施例について図5〜図11を用いて以下に、具体的に述べる。
【００７９】
地紋、強制部数印字、ハードディスク消去、ジョブアーカイブ等のセキュリティに関わる機能がサポートされるMFPにおいて、機能が無効の状態で画像が出力された場合、「機能が無効状態で出力されたという情報」を機器のジョブログ情報に実行されたジョブの情報と合わせて記憶する構成である。
【００８０】
上記ジョブログはハードディスク(図3-8)、SRAM(図3-43)、リモートPC上記憶装置(図1-3・図1-4)その他、接続されている記憶装置全てに記憶可能である。
【００８１】
図5は、本発明中の実施例中の共通ログデータの保存領域を表す図である。
ジョブ実行時のジョブログは、ハードディスク(図3-8)、SRAM(図3-43)、リモートPC上記憶装置(図1-3・図1-4)その他、接続されている記憶装置上のジョブログ記憶領域5001に記憶される。
【００８２】
ジョブログ記憶領域5001は、セキュリティ設定が有効なジョブログ5002と、セキュリティ設定が無効なジョブログ5003のどちらも記憶する領域として使用する記憶領域である。
【００８３】
基本の動作として、セキュリティ設定が有効なジョブログは、本記憶領域の空き領域がなくなると、古いログを削除して新しいジョブログを追加していく。
【００８４】
但し、任意の方法でログを他の記憶領域に退避させてから新たなジョブログを追加していくという実施の形態も想定される。
【００８５】
図6は、本発明中の実施例中の共通ログデータ保存領域を使用する動作フローを説明するフローチャートである。
【００８６】
管理者または、管理用アカウントを使用する者が操作を開始し6001、管理画面にログインして、強制地紋、強制部数印字、ハードディスク消去、ジョブアーカイブ設定、コピーガード設定等、セキュリティ設定を解除する6002。
【００８７】
その後、コピー・PDLプリント・ネットワーク送信等のジョブを投入する6003。
【００８８】
ジョブ投入時にジョブのセキュリティ属性と、システムで使用可能なセキュリティ機能若しくは、ライセンスの有効なセキュリティ機能とを比較し、セキュリティ設定が解除されているか有効になっているかを判断し、有効の場合はジョブ実行6010を行う6004。
【００８９】
6004にてセキュリティ設定が無効である場合、共通ログ領域にログの空きがあるかをチェックし、空き領域が存在すればジョブ実行6010を行う6005。
【００９０】
6005にて空き領域が不足している場合、まずセキュリティ設定の有効なジョブログを削除する6006。
【００９１】
セキュリティ設定の有効なジョブログを削除して、共通ログ領域にログの空きがあるかをチェックし、空き領域が存在すればジョブ実行6010を行う6007。
【００９２】
6007にて空き領域が不足し、ジョブキャンセルの設定になっている場合、ジョブをキャンセルして管理者に通知し6014、ジョブキャンセルの設定でない場合、古いログの退避処理6009に進む6008。
【００９３】
6008では、e-mail、NFS、SMB、FTP、その他のネットワークアドレスに、古いログを退避する処理が走る。
【００９４】
機器内に保存しているログ形式でそのまま送信する場合や、e-mailにテキストデータの本文として、若しくはラスタライズされた画像データとして、送信する。また、機器内画像保存ボックスにラスタライズした画像データを保存するという実施の形態も考えられる。
【００９５】
上記のようにジョブログを退避して6009ジョブ実行6010へと進む。
【００９６】
ジョブが実行されると、ログ保存6011を行い、保存後更にログ領域の空き領域が任意の閾値以上あるかどうかのチェックを行う6012。
【００９７】
ここで空き領域が閾値以上ある場合はフローを終了する6013。
【００９８】
空き領域が閾値以下である場合、管理者への通知処理6014へと進む。
【００９９】
管理者への通知処理6014では、ローカルまたはリモートの画面へログフルを示す表示を行うか、管理者がログインした画面上に表示するか、e-mail、FAX、その他管理者へのネットワーク通知を行う。
【０１００】
その後管理者が、ジョブログの削除など何らかの退避処置をすることになる。
【０１０１】
尚、ログ領域の残量確認・残量通知・ログ通知・削除・転送・保存等の操作は、本実施例のタイミングだけではなく、オペレータの任意のタイミングや、定期的な自動実行など、様々なタイミングの実施形態が想定される。
【０１０２】
図7は、本発明中の実施例中の共通ログデータ及び専用ログデータの保存領域を表す図である。
【０１０３】
ジョブ実行時のジョブログは、ハードディスク(図3-8)、SRAM(図3-43)、リモートPC上記憶装置(図1-3・図1-4)その他、接続されている記憶装置上のジョブログ記憶領域7001・7003に記憶される。
【０１０４】
共通ジョブログ記憶領域7001は、セキュリティ設定が有効なジョブログ7002のみか、または、セキュリティ設定が無効なジョブログ7004のどちらも記憶する領域として使用する記憶領域である。
【０１０５】
共通ジョブログ記憶領域の基本の動作として、セキュリティ設定が有効なジョブログ7002は、本記憶領域の空き領域がなくなると、古いログを削除して新しいジョブログを追加していく。
【０１０６】
セキュリティ無効ジョブログ専用領域7003は、セキュリティ設定が無効なジョブログ7004を記憶する領域として使用する記憶領域である。
【０１０７】
セキュリティ無効ジョブログ専用領域の基本の動作として、セキュリティ設定が無効なジョブログ7004は、本記憶領域の空き領域がなくなると、古いログを何らかの方法で退避した後に、新しいジョブログを追加していく。
【０１０８】
但し、任意の方法でログを他の記憶領域に退避させてから新たなジョブログを追加していくという実施の形態も想定される。
【０１０９】
図8は、本発明中の実施例中の画像処理システムの動作フローを説明するフローチャートである。
【０１１０】
管理者または、管理用アカウントを使用する者が操作を開始し8001、管理画面にログインして、強制地紋、強制部数印字、ハードディスク消去、ジョブアーカイブ設定、コピーガード設定等、セキュリティ設定を解除する8002。
【０１１１】
その後、コピー・PDLプリント・ネットワーク送信等のジョブを投入する8003。
【０１１２】
ジョブ投入時にジョブのセキュリティ属性と、システムで使用可能なセキュリティ機能若しくは、ライセンスの有効なセキュリティ機能とを比較し、セキュリティ設定が解除されているか、有効になっているかを判断し、有効の場合はジョブ実行8008を行う8004。
【０１１３】
8004にてセキュリティ設定が無効である場合、ログ領域にログの空きがあるかをチェックし、空き領域が存在すればジョブ実行8008を行う8005。
【０１１４】
8005にて空き領域が不足し、ジョブキャンセルの設定になっている場合、ジョブをキャンセルして管理者に通知し8012、ジョブキャンセルの設定でない場合、古いログの退避処理8007に進む8006。
【０１１５】
8007では、e-mail、NFS、SMB、FTP、その他のネットワークアドレスに、古いログを退避する処理が走る。
【０１１６】
共通ジョブログ記憶領域が存在する場合は、セキュリティ無効なジョブのジョブログの記憶先を、共通ジョブログ記憶領域に変更する処理が考えられる。
【０１１７】
このとき、共通領域を使用中は図6に示したフローチャートと同等の処理にフローが変化することになる。
【０１１８】
上記以外の退避方法としては、機器内に保存しているログ形式でそのまま送信する場合や、e-mailにテキストデータの本文として、若しくはラスタライズされた画像データとして、送信することが考えられる。また、機器内画像保存ボックスにラスタライズした画像データを保存するという実施の形態も考えられる。
【０１１９】
上記のようにジョブログを退避して8007ジョブ実行8008へと進む。
【０１２０】
ジョブが実行されると、ログ保存8009を行い、保存後更にログ領域の空き領域が任意の閾値以上あるかどうかのチェックを行う8010。
【０１２１】
ここで空き領域が閾値以上ある場合はフローを終了する8011。
【０１２２】
空き領域が閾値以下である場合、管理者への通知処理8012へと進む。
【０１２３】
管理者への通知処理8012では、ローカルまたはリモートの画面へログフルを示す表示を行うか、管理者がログインした画面上に表示するか、e-mail、FAX、その他管理者へのネットワーク通知を行う。
【０１２４】
その後管理者が、ジョブログの削除、共通領域を使用する設定など何らかの退避処置をすることになる。
【０１２５】
尚、ログ領域の残量確認・残量通知・ログ通知・削除・転送・保存等の操作は、本実施例のタイミングだけではなく、オペレータの任意のタイミングや、定期的な自動実行など、様々なタイミングの実施形態が想定される。
【０１２６】
図9は、本発明中の実施例中の画像処理システムのログ削除を説明するフローチャートである。
【０１２７】
管理者アカウントまたは、ジョブログ操作のパーミッションを得たユーザが、ジョブログの削除を開始する場合9001、機器のローカルUIや、またはリモートからのログインによりアカウント認証を行い9002、ジョブログの削除処理を行う9003。
【０１２８】
ジョブログの削除処理9003としては、次のような実施の形態が考えられる。
【０１２９】
現状保持されているジョブログをラスタライズし、印刷装置上にプリントアウトする実施の形態が考えられる。
【０１３０】
また、機器内に保存しているログ形式でそのままネットワーク送信する場合や、e-mailにテキストデータの本文として、若しくはラスタライズされた画像データとして、送信することが考えられる。
【０１３１】
また、機器内画像保存ボックスにラスタライズした画像データを保存するという実施の形態も考えられる。更には、UI上でログを確認し、確認後にログを消去。設定によっては、無条件で削除可能なことも想定される。また、セキュリティ設定の有効なログを削除するという選択も想定される。
【０１３２】
このとき、ジョブログ記憶領域に空き領域がない場合に、自動で処理する内容を選択する画面が表示され、その設定で今後自動処理されるという表示も考えられる。
【０１３３】
上述した処理を一覧表示し、ユーザが選択すると9004、選択された処理でジョブログを操作し9005、ジョブログ記憶領域から古いジョブログを退避して9006、ジョブログの削除処理を終了する9007。
【０１３４】
図10は、本発明中の実施例中のログ管理画面を表す図である。
【０１３５】
ジョブログを液晶パネルあるいはリモート(図1-3・図1-4)から参照する際に、機能が無効で出力されたジョブが容易に判別できる表示方法を示す。
【０１３６】
1001は複合機本体上のオペレーションパネルである。
【０１３７】
オペレーションパネル上にジョブログ管理画面1002に画面を遷移すると、現状の最新ジョブログが表示される1003・1004。
【０１３８】
ここで、セキュリティ機能が無効な状態で処理されたジョブのジョブログ1003は、セキュリティ機能が有効な状態で処理されたジョブのジョブログ1004とは異なる色や、背景、文字、その他表示効果で表示する。
【０１３９】
ここで1002の画面上に、セキュリティ無効なジョブログの保存可能残領域を表示する実施の形態が考えられる。
【０１４０】
ユーザがジョブログをバックアップ、またはローカルジョブログ記憶領域から退避したい場合、機器内画像記憶領域へのラスタ画像送信または、ネットワーク送信1005、ラスタライズされたジョブログのレポートプリント1006、単純な消去1008、などが指定可能である。
【０１４１】
ここで、上記ボタンはログ全体に対してか、またはセキュリティ設定が無効なジョブログか、または選択されたジョブログかを任意で指定して実行可能である。
【０１４２】
ソートボタン1009では、単純にジョブ名やジョブ種類、時間等、表示の並びを変更可能であり、更にセキュリティ設定が無効なジョブログのみを表示するなどの検索/フィルタ処理を設定する。
【０１４３】
詳細ボタン1010では、リスト上で選択されているジョブログの詳細なジョブ情報画面へと画面遷移し、ユーザアカウントなどの詳細を表示する。
【０１４４】
設定変更ボタン1007ではジョブログの空き領域がなくなった場合の自動処理設定（送信先登録）や、管理者認証を行うことでログ消去等のパーミッション割り当てなどを行うことが可能である。
【０１４５】
本実施例では複合機本体画面について述べているが、ネットワーク上で接続されたPC・ワークステーションでの表示でも同様の構成が考えられる。
【０１４６】
図11は、本発明中の実施例中のラスタイメージのログ保存先を示す図である。
【０１４７】
1101は複合機本体上のオペレーションパネルである。
【０１４８】
1103ジョブログをラスタライズし、機器内画像記憶領域に保存する場合の保存先画面である。ボックスモードボタン1102を押下して、ボックスモード画面1103に画面遷移すると、リストが表示される。
【０１４９】
ボックス番号０１を非セキュリティジョブログ領域1104として確保し、ジョブログの退避先に1104が選択され、ジョブログが保存されている場合、該ボックスを選択することで、ジョブログのラスタライズ画像のリストが表示され、印刷するか、ネットワーク送信することが可能である。
【０１５０】
上記実施形態においては、本発明を主に複合機において適用した例で説明したが、これに限るものではなく、本発明は、例えば、スキャナでスキャンした画像を送信する場合の、ファクシミリ装置、プリンタ等他の画像形成装置における印刷においても適用可能であることは言うまでも無い。さらに画像形成装置に限らず、例えば、パーソナルコンピュータ上のプリンタドライバや、画像処理ソフトウェアにおいて、本発明を適用してもよい。
【０１５１】
また、本発明は、前述した実施の形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【０１５２】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ、ＤＶＤ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【０１５３】
さらに、記憶媒体から読み出されたプログラムコードが、コンピュータに挿入された機能拡張ボードやコンピュータに接続された機能拡張ユニットに備わるメモリに書きもまれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【０１５４】
また、このような記憶媒体を含む装置をネットワーク上に配置させておき、記憶媒体に記憶されたプログラムをネットワークを介して所定の装置へダウンロードし、ダウンロードしたプログラムを実行することによっても、本発明の上記実施形態の機能が実現されることは言うまでもない。
【図面の簡単な説明】
【０１５５】
【図１】本発明に係わるデータ処理装置としての画像入出力システム1の実施例形態を示すブロック構成図である。
【図２】画像入出力装置の内部構成図である。
【図３】本発明に係わる電子部品としてのコントローラ部の詳細を示すブロック構成図である。
【図４】メインコントローラの詳細を示すブロック構成図である。
【図５】本発明中の実施例中の共通ログデータの保存領域を表す図である。
【図６】本発明中の実施例中の共通ログデータ保存領域を使用する動作フローを説明するフローチャートである。
【図７】本発明中の実施例中の共通ログデータ及び専用ログデータの保存領域を表す図である。
【図８】本発明中の実施例中の画像処理システムの動作フローを説明するフローチャートである。
【図９】本発明中の実施例中の画像処理システムのログ削除を説明するフローチャートである。
【図１０】本発明中の実施例中のログ管理画面を表す図である。
【図１１】本発明中の実施例中のラスタイメージのログ保存先を示す図である。
【符号の説明】
【０１５６】
１  画像入出力システム
３  クライアントPC
【図１】
2009073036.tif 000003
【図２】
2009073036.tif 000004
【図３】
2009073036.tif 000005
【図４】
2009073036.tif 000006
【図５】
2009073036.tif 000007
【図６】
2009073036.tif 000008
【図７】
2009073036.tif 000009
【図８】
2009073036.tif 000010
【図９】
2009073036.tif 000011
【図１０】
2009073036.tif 000012
【図１１】
2009073036.tif 000013